(57)【要約】【課題】媒体セット部から媒体の適切な給送が行える媒体給送装置、及び、これを備える画像読取装置及び記録装置を提供する。【解決手段】媒体給送装置１０の媒体載置部９に設けられる一対のエッジガイド１２は、媒体載置部９の載置面９ａに対して間隔を空けて設けられるとともに、一対のエッジガイド１２の少なくとも一方のガイド面２２から、ガイド面と交差する方向に延設されて、媒体載置部９に載置される用紙Ｐの枚数を規制する規制面３１を備える枚数規制部３０を備え、規制面３１は、前記幅方向における一端側がガイド面２２と交差して形成される隅部３２から他端側までのいずれかに、前記給送方向に沿って延設されるとともに、用紙Ｐの側縁Ｓの少なくとも一部が入り込むことにより側縁Ｓの前記幅方向への移動を規制する溝部３３を備える。【選択図】図６
2018100174.tif 000002
【特許請求の範囲】
【請求項１】
給送される媒体を複数枚載置可能な載置面を備える媒体載置部と、
前記媒体載置部に設けられ、前記媒体の給送方向と交差する幅方向の側縁をガイドするガイド面を備える一対のエッジガイドと、
前記載置面に対して間隔を空けて設けられるとともに、前記一対のエッジガイドの少なくとも一方の前記ガイド面から、当該ガイド面と交差する方向に延設されて、前記媒体載置部に載置される前記媒体の枚数を規制する規制面を備える枚数規制部と、を備え、
前記規制面は、前記幅方向における一端側が前記ガイド面と交差して形成される隅部から他端側までのいずれかに、前記給送方向に沿って延設されるとともに、前記媒体の側縁の少なくとも一部が入り込むことにより前記側縁の前記幅方向への移動を規制する溝部を備える、
ことを特徴とする媒体給送装置。
【請求項２】
請求項１に記載の媒体給送装置において、
前記溝部は、少なくとも前記隅部に設けられている、
ことを特徴とする媒体給送装置。
【請求項３】
請求項２に記載の媒体給送装置において、
前記隅部に設けられる前記溝部を第１の溝部として、
前記第１の溝部から前記他端側に離間した位置に設けられる第２の溝部を備える、
ことを特徴とする媒体給送装置。
【請求項４】
請求項１から請求項３のいずれか一項に記載の媒体給送装置において、
複数の前記溝部を備えて前記枚数規制部の前記幅方向の断面が櫛歯形状に形成されている、
ことを特徴とする媒体給送装置。
【請求項５】
給送される媒体を複数枚載置可能な載置面を備える媒体載置部と、
前記媒体載置部に設けられ、前記媒体の給送方向と交差する幅方向の側縁をガイドするガイド面を備える一対のエッジガイドと、
前記エッジガイドの少なくとも一方に設けられ、第１の面が前記ガイド面に対して突出するように回動可能な可動部と、を備え、
前記可動部は、前記媒体載置部に近い側に回動支点を有し、自重で自由端が前記ガイド面に対する突出方向へ回動する構成である、
ことを特徴とする媒体給送装置。
【請求項６】
請求項５に記載の媒体給送装置において、
前記可動部は、前記媒体の枚数の減少に応じて前記第１の面の前記ガイド面からの突出量が増加する、
ことを特徴とする媒体給送装置。
【請求項７】
請求項５または請求項６に記載の媒体給送装置において、
前記可動部は、前記媒体の給送方向上流側に、前記媒体を前記第１の面に誘う誘い形状を有する、
ことを特徴とする媒体給送装置。
【請求項８】
請求項５から請求項７のいずれか一項に記載の媒体給送装置において、
前記可動部は、前記第１の面の少なくとも一部に、前記給送方向に沿って延設されるとともに、前記媒体の側縁の少なくとも一部が入り込むことにより前記側縁の前記幅方向への移動を規制する溝部を備える、
ことを特徴とする媒体給送装置。
【請求項９】
前記媒体の画像を読み取る読取部と、
前記読取部に向けて前記媒体を給送する請求項１から請求項８のいずれか一項に記載の前記媒体給送装置と、を備える、
ことを特徴とする画像読取装置。
【請求項１０】
前記媒体に記録を行う記録手段と、
前記記録手段に向けて前記媒体を給送する請求項１から請求項８のいずれか一項に記載の前記媒体給送装置と、を備える、
ことを特徴とする記録装置。
【発明の詳細な説明】
【技術分野】
【０００１】
本発明は、媒体を給送する媒体給送装置と、媒体給送装置を備える画像読取装置及び記録装置に関する。
【背景技術】
【０００２】
画像読取装置の一例であるスキャナーには、用紙（原稿）を自動で送る媒体給送装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成される場合がある。  
また、記録装置の一例であるプリンターにおいても、記録用紙を自動で送る、同様の媒体給送装置が設けられる場合がある。
【０００３】
また、その様な媒体給送装置において、用紙を載置する媒体トレイに設けられ、前記用紙の幅方向の側縁をガイドするエッジガイドが、用紙サイズに応じて前記幅方向にスライド移動可能に構成されているものがある。  
【０００４】
ところで、前記媒体給送装置において、前記用紙が斜めに傾いた状態で給送される、所謂スキューが発生する場合がある。  
特許文献１には、サイド規制板６１、６１Ａ（前記エッジガイドに相当）の内側に、櫛歯状のガイド溝６１ａを設けることによって、スキューの発生を抑制することが開示されている。
【０００５】
また、特許文献２には、左ガイド部７２１と右ガイド部７３１（前記エッジガイドに相当）の内側の面（案内面１ｃ、１ｃ）が、互いに近づく内倒れ方向に傾斜するように付勢されて、スキューの発生を抑制することが開示されている。
【先行技術文献】
【特許文献】
【０００６】
【特許文献１】特開２００２−２８４３６２号公報
【特許文献２】特開２０１０−２４００２号公報
【発明の概要】
【発明が解決しようとする課題】
【０００７】
ここで、特許文献１において、サイド規制板６１、６１Ａ（エッジガイドに相当）の内側に櫛歯状のガイド溝６１ａが形成されていると、このガイド溝６１ａが給送される用紙の抵抗になる場合がある。  
特に、給紙トレイ（前記媒体トレイに相当）にある程度の枚数の用紙束が積載されている場合には、前記用紙束の幅方向の両側縁とサイド規制板６１、６１Ａの内側との接触面積が大きくなるので、ガイド溝６１ａが用紙給送の抵抗になり易い。この抵抗により、用紙が適切に給送されない場合がある。
【０００８】
特許文献２においても、左ガイド部７２１と右ガイド部７３１が、コイルばね７ａにより付勢されて前記内倒れ方向に傾斜しているので、コイルばね７ａの付勢力が給送される用紙の抵抗となる虞がある。この場合も、ホッパ７１（前記媒体トレイに相当）に用紙束が積載されている場合に、用紙給送の抵抗になり易い。
【０００９】
上記問題点に鑑み、本発明の目的は、媒体セット部から媒体の適切な給送が行える媒体給送装置、及び、これを備える画像読取装置及び記録装置を提供することにある。
【課題を解決するための手段】
【００１０】
上記課題を解決するため、本発明の第１の態様に係る媒体給送装置は、給送される媒体を複数枚載置可能な載置面を備える媒体載置部と、前記媒体載置部に設けられ、前記媒体の給送方向と交差する幅方向の側縁をガイドするガイド面を備える一対のエッジガイドと、前記載置面に対して間隔を空けて設けられるとともに、前記一対のエッジガイドの少なくとも一方の前記ガイド面から、当該ガイド面と交差する方向に延設されて、前記媒体載置部に載置される前記媒体の枚数を規制する規制面を備える枚数規制部と、を備え、前記規制面は、前記幅方向における一端側が前記ガイド面と交差して形成される隅部から他端側までのいずれかに、前記給送方向に沿って延設されるとともに、前記媒体の側縁の少なくとも一部が入り込むことにより前記側縁の前記幅方向への移動を規制する溝部を備える、ことを特徴とする。
【００１１】
本態様によれば、前記規制面に設けられる前記溝部により、前記媒体の前記側縁が前記幅方向へ移動するのを規制するので、前記媒体のスキューを抑制することができる。  
前記溝部は、前記媒体載置部に複数枚の媒体束が載置されても、前記媒体束に対してほとんど抵抗を与えないので、前記媒体載置部に載置された前記媒体を適切に給送することができる。
【００１２】
本発明の第２の態様に係る媒体給送装置は、第１の態様において、前記溝部は、少なくとも前記隅部に設けられている、ことを特徴とする。
【００１３】
本態様によれば、前記溝部が、少なくとも前記隅部に設けられていることにより、前記媒体のスキューを効果的に抑制することができる。
【００１４】
本発明の第３の態様に係る媒体給送装置は、第２の態様において、前記隅部に設けられる前記溝部を第１の溝部として、前記第１の溝部から前記他端側に離間した位置に設けられる第２の溝部を備える、ことを特徴とする。
【００１５】
本態様によれば、前記隅部に設けられる前記第１溝部を越えて、前記他端側に前記媒体の前記側縁が移動した場合に、前記第２溝部によって前記媒体の前記側縁の移動を抑制することができる。したがって、前記媒体のスキュー抑制の確実性が増す。
【００１６】
本発明の第４の態様に係る媒体給送装置は、第１の態様から第３の態様のいずれか一つにおいて、複数の前記溝部を備えて前記枚数規制部の前記幅方向の断面が櫛歯形状に形成されている、ことを特徴とする。  
本態様によれば、前記媒体のスキュー抑制の確実性が一層増す。
【００１７】
本発明の第５の態様に係る媒体給送装置は、給送される媒体を複数枚載置可能な載置面を備える媒体載置部と、前記媒体載置部に設けられ、前記媒体の給送方向と交差する幅方向の側縁をガイドするガイド面を備える一対のエッジガイドと、前記エッジガイドの少なくとも一方に設けられ、第１の面が前記ガイド面に対して突出するように回動可能な可動部と、を備え、前記可動部は、前記媒体載置部に近い側に回動支点を有し、自重で自由端が前記ガイド面に対する突出方向へ回動する構成である、ことを特徴とする。
【００１８】
本態様によれば、前記エッジガイドに設けられ、第１の面が前記ガイド面に対して突出するように回動可能な可動部を備え、前記可動部が、前記媒体載置部に近い側に回動支点を有し、自重で自由端が前記ガイド面に対する突出方向へ回動する構成であるので、前記媒体の側縁に対して抵抗を与える虞を低減しつつ、前記媒体のスキューを抑制することができる。以って、前記媒体載置部に載置された前記媒体を適切に給送することができる。
【００１９】
本発明の第６の態様に係る媒体給送装置は、第５の態様において、前記可動部は、前記媒体の枚数の減少に応じて前記第１の面の前記ガイド面からの突出量が増加する、ことを特徴とする。
【００２０】
給送される媒体のスキューは、前記媒体載置部に載置される枚数が少なくなるほど生じ易くなる傾向がある。  
本態様によれば、前記媒体載置部に載置される前記媒体の減少とともに、前記可動部の突出量が増えるので、少ない載置枚数における前記媒体のスキューを効果的に抑制できる。
【００２１】
本発明の第７の態様に係る媒体給送装置は、第５の態様または第６の態様において、前記可動部は、前記媒体の給送方向上流側に、前記媒体を前記第１の面に誘う誘い形状を有する、ことを特徴とする。
【００２２】
本態様によれば、前記媒体載置部に前記媒体を載置する際に、前記媒体を前記第１の面の内側に挿入し易くすることができる。
【００２３】
本発明の第８の態様に係る媒体給送装置は、第５の態様から第７の態様のいずれか一つにおいて、前記可動部は、前記第１の面の少なくとも一部に、前記給送方向に沿って延設されるとともに、前記媒体の側縁の少なくとも一部が入り込むことにより前記側縁の前記幅方向への移動を規制する溝部を備える、ことを特徴とする。  
本態様によれば、前記媒体のスキュー抑制の確実性が一層増す。
【００２４】
本発明の第９の態様に係る画像読取装置は、前記媒体の画像を読み取る読取部と、前記読取部に向けて前記媒体を給送する第１の態様から第８の態様のいずれか一つの前記媒体給送装置と、を備えることを特徴とする。
【００２５】
本態様によれば、画像読取装置における、前記読取部に向けて前記媒体を給送する媒体給送装置において、第１の態様から第８の態様のいずれか一つと同様の作用効果が得られる。
【００２６】
本発明の第１０の態様に係る記録装置は、前記媒体に記録を行う記録手段と、前記記録手段に向けて前記媒体を給送する第１の態様から第８の態様のいずれか一つの前記媒体給送装置と、を備えることを特徴とする。
【００２７】
本態様によれば、記録装置における、前記記録手段に向けて前記媒体を給送する媒体給送装置において、第１の態様から第８の態様のいずれか一つと同様の作用効果が得られる。
【図面の簡単な説明】
【００２８】
【図１】本発明に係るスキャナーの一例を示す外観斜視図。
【図２】本発明に係るスキャナーにおいて上部カバーを開き、排紙トレイを引き出した状態を示す斜視図。
【図３】本発明に係るスキャナーにおいて上部カバーを開いた状態を示す斜視図。
【図４】図２に示すスキャナーの側断面図であり、用紙搬送経路を示す図。
【図５】エッジガイドを示す斜視図。
【図６】実施例１に係る媒体給送装置の要部を示す図。
【図７】図６のＡ部の拡大図。
【図８】エッジガイドの枚数規制部を下側から見た図。
【図９】実施例２に係る媒体給送装置の要部を示す図。
【図１０】実施例３に係る媒体給送装置の要部を示す図。
【図１１】実施例４に係る媒体給送装置の要部を示す斜視図。
【図１２】図１１のＺ−Ｘ平面の断面図。
【図１３】可動部の上流側に斜面を設けた変更例を示す斜視図。
【図１４】実施例５に係る媒体給送装置の要部を示す斜視図。
【図１５】図１４のＺ−Ｘ平面の断面図。
【図１６】従来のエッジガイドについて説明する図。
【図１７】本発明に係るプリンターの一例を示す側断面図。
【発明を実施するための形態】
【００２９】
［実施例１］
まず、本発明の一実施例に係る画像読取装置の概略について説明する。本実施例の画像読取装置の一例として、媒体の表面及び裏面の少なくとも一面を読み取り可能なドキュメントスキャナー１（以下、単にスキャナー１と称する）を例に挙げる。  
図１は、本発明に係るスキャナーの一例を示す外観斜視図である。図２は、本発明に係るスキャナーにおいて上部カバーを開き、排紙トレイを引き出した状態を示す斜視図である。図３は、本発明に係るスキャナーにおいて上部カバーを開いた状態を示す斜視図である。図４は、図２に示すスキャナーの側断面図であり、用紙搬送経路を示す図である。図５は、エッジガイドを示す斜視図である。図６は、実施例１に係る媒体給送装置の要部を示す図である。図７は、図６のＡ部の拡大図である。図８は、エッジガイドの枚数規制部を下側から見た図である。図１６は、従来のエッジガイドについて説明する図である。
【００３０】
尚、各図において示すＸ−Ｙ−Ｚ座標系はＸ方向が装置幅方向であり用紙幅方向、Ｙ方向が装置奥行方向であり、Ｚ方向が装置高さ方向である。  
また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。
【００３１】
スキャナー１において、用紙搬送方向は、装置背面側の上方から装置前面側の下方に向かって傾斜しているが、基本的には装置背面側から装置前面側に向かって搬送される構成であるので、Ｙ軸方向を用紙搬送方向として説明する。以下において、用紙Ｐが搬送されていく方向（＋Ｙ方向側）を「下流」といい、これと反対の方向（−Ｙ方向側）を「上流」という。
【００３２】
■■■スキャナーの概要■■■
以下、図１〜図４を参照してスキャナー１の概要について説明する。  
本発明に係るスキャナー１（図１〜図３）は、「媒体」としての用紙Ｐの画像を読み取る読取部２０（図４）を備える装置本体２と、読取部２０に向けて用紙Ｐを給送する媒体給送装置１０（図４）を備えている。また、スキャナー１は、装置本体２に対して開閉する上部カバー６を備えている。
【００３３】
装置本体２は、下部ユニット３と上部ユニット４を備えて構成されている。上部ユニット４は、下部ユニット３に対して用紙搬送方向下流側を回動支点として回動可能に取り付けられている。上部ユニット４を下部ユニット３に対して装置前面側に開くと、用紙Ｐの用紙搬送経路が露呈する。これにより、用紙Ｐの紙詰まりの処理や後述する給送ローラー１６や搬送ローラー対１８等のメンテナンスを容易に行える様になっている。
【００３４】
装置本体２の上部に設けられる上部カバー６は、下部ユニット３の背面側の上部に対して回動可能に下部ユニット３に取り付けられている。  
図２のように上部カバー６を開くと、装置本体２の上部に設けられる媒体セット部１５（図２）が露呈する。媒体セット部１５は、後述する媒体給送装置１０へ用紙Ｐをセットするための用紙挿入口である。
【００３５】
また、装置本体２の上部に設けられる上部カバー６は、媒体セット部１５を含む、上部ユニット４の上部を開閉し、第１カバー部７と第２カバー部８を備えて構成されている。第１カバー部７と第２カバー部８は、回動軸１１（図２、図４）を介して連結されている。そして、第１カバー部７は、下部ユニット３の背面側の上部に対して回動可能に下部ユニット３に取り付けられている。
【００３６】
上部カバー６は、図１に示すように上部ユニット４の上部を覆う非給送状態と、図１の非給送状態から図２に示すように装置背面側に回動し、媒体セット部１５を開放するとともに、用紙Ｐが媒体セット部１５にセット可能になる給送状態とを取り得る。前記給送状態において、上部カバー６の裏面（第１カバー部７の裏面７ａと第２カバー部８の裏面８ａ）が、用紙Ｐの媒体載置部９の載置面９ａとなる。
【００３７】
図２に示す給送状態では、上部カバー６は、第１カバー部７の裏面７ａと第２カバー部８の裏面８ａが面一になる様に開き、図１に示す非給送状態では、第２カバー部８が回動軸１１を軸として閉じる方向に回動し、上部カバー６が上部ユニット４の上部の形状に沿って閉じられる様になっている。  
尚、図２において符号１３は、第２カバー部８の内部に収納され、第２カバー部８から引き出し可能に設けられた補助ペーパーサポート１３である。
【００３８】
媒体セット部１５の内側には、媒体給送装置１０（図４）が設けられている。媒体給送装置１０は、図４に示すように、用紙Ｐを給送する給送ローラー１６の上流側に位置し、読取部２０に向けて送られる複数枚の原稿（用紙Ｐ）を載置可能な載置面９ａを有する媒体載置部９を備えている。
【００３９】
媒体載置部９としての第１カバー部７の裏面７ａには、媒体載置部９の載置面９ａに載置される用紙Ｐの給送方向と交差する幅方向（Ｘ軸方向）の側縁をガイドする一対のエッジガイド１２（図２、図３に示すエッジガイド１２ａ及びエッジガイド１２ｂ）が設けられている。  
一対のエッジガイド１２は、異なる幅（Ｘ軸方向の長さ）の用紙Ｐに合わせてＸ軸方向にスライド可能に構成されている。それぞれのエッジガイド１２ａ及びエッジガイド１２ｂは、図２においては、幅の広い用紙に対応する様に装置幅方向の外側に位置しており、図３において、幅の狭い用紙に対応する様に装置幅方向の内側に位置している。  
尚、エッジガイド１２の詳細な構成については後で更に説明する。
【００４０】
また、下部ユニット３の装置前面側には、装置本体２内部から用紙Ｐを排出する開口である排出部１４と、排出部１４から排出される用紙Ｐを受ける排紙トレイ５が設けられている。
【００４１】
排紙トレイ５は、図１に示すように排出部１４に収納された状態と、図２に示すように排出部１４から装置前面側に向けて引き出された状態と、をとり得る。また、本実施形態において排紙トレイ５は複数のトレイ部材１９ａ、１９ｂ、１９ｃ、１９ｄ（図２）を連結して構成されており、排出される用紙Ｐの長さに応じて、排出部１４からの引き出し長さを調整可能である。  
尚、排紙トレイ５は、本実施例のような引き出し式（挿入式、入れ子式とも言う）の他、複数のトレイ部材を折り畳んで収納し、使用時には折り畳みを展開して長さを調整可能な折り畳み式とすることも可能である。
【００４２】
■■■スキャナーにおける用紙搬送経路について■■■
次に、図４を参照して、スキャナー１における用紙搬送経路について説明する。  
媒体セット部１５にセットされる用紙Ｐは、下部ユニット３に対して装置背面側に回動した姿勢にある上部カバー６の裏面（第１カバー部７の裏面７ａと第２カバー部８の裏面８ａ）を載置面９ａとする媒体載置部９に載置される。媒体載置部９には、複数枚の用紙Ｐをセットすることができる。
【００４３】
媒体載置部９に載置された用紙Ｐは、下部ユニット３に対して回転可能に設けられた給送ローラー１６によりピックアップされて下流側（＋Ｙ方向側）に給送される。具体的には、用紙Ｐの裏面、すなわち用紙Ｐにおいて載置面９ａと対向する面に、給送ローラー１６が接触しつつ回転することにより、用紙Ｐを下流側に向けて給送する。したがって、スキャナー１において複数枚の用紙Ｐを媒体載置部９にセットした場合には、載置面９ａ側の用紙Ｐから順に下流側に向けて給送される。尚、給送ローラー１６は、用紙搬送経路に対して一部が突出するように配置されている。
【００４４】
また、上部ユニット４において給送ローラー１６と対向する位置には、分離ローラー１７が設けられている。分離ローラー１７には所定の回転抵抗が与えられており、用紙の重送を抑制している。給送ローラー１６と分離ローラー１７に２枚以上の用紙Ｐが入り込もうとする場合には、上側の用紙が分離ローラー１７により分離され、給送ローラー１６と接している用紙のみが給送ローラー１６と分離ローラー１７とにニップされて給送方向下流側に給送される。
【００４５】
給送ローラー１６の搬送方向下流側には搬送ローラー対１８と、読取部２０と、排出ローラー対２１が設けられている。  
本実施形態において排出ローラー対２１は下部ユニット３に設けられる排出駆動ローラー２１ａと、上部ユニット４に設けられ、排出駆動ローラー２１ａに対して従動回転する排出従動ローラー２１ｂを備えている。
【００４６】
給送ローラー１６及び分離ローラー１７によりニップされて搬送方向下流側に給送された用紙Ｐが搬送ローラー対１８にニップされて、搬送ローラー対１８の下流側に位置する読取部２０に搬送される。  
搬送ローラー対１８は下部ユニット３に設けられた搬送駆動ローラー１８ａと、上部ユニット４に設けられ、搬送駆動ローラー１８ａに対して従動回転する搬送従動ローラー１８ｂを備えている。
【００４７】
尚、本実施形態において給送ローラー１６、搬送駆動ローラー１８ａ及び排出駆動ローラー２１ａは、下部ユニット３内に設けられた不図示の駆動源により回転駆動させられる。  
また、給送ローラー１６、分離ローラー１７、及び搬送ローラー対１８は、媒体搬送方向と交差する幅方向（Ｘ軸方向）の中央部に配置されており、用紙Ｐの位置決めを用紙Ｐの幅方向の中央を基準として行う、所謂、センター給紙を行う構成である。したがって、排出ローラー対２１もＸ軸方向中央部に設けられている。
【００４８】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００４９】
用紙Ｐは、読取部２０において用紙Ｐの表面及び裏面の少なくとも一方の面の画像が読み取られた後、読取部２０の下流側に位置する排出ローラー対２１にニップされて排出部１４から排紙トレイ５に向けて排出される。尚、図４における点線はスキャナー１における用紙搬送経路を給送される用紙Ｐを示している。
【００５０】
■■■媒体給送装置におけるエッジガイドの構成について■■■
以下において、媒体給送装置１０を構成する媒体載置部９に設けられるエッジガイド１２について、図５〜図８を参照して詳しく説明する。尚、媒体載置部９において、装置幅方向に対向して設けられるエッジガイド１２ａとエッジガイド１２ｂは、Ｙ−Ｚ平面に対して対称形状を成している。図５〜図８においては、装置前面側から見て右側のエッジガイド１２ｂを示しており、以下においては、エッジガイド１２ｂについて説明する。エッジガイド１２ｂと対称形状のエッジガイド１２ａについては説明を省略する。
【００５１】
エッジガイド１２ｂ（図６）には、媒体載置部９に載置される用紙Ｐの幅方向（Ｘ軸方向）の側縁をガイドするガイド面２２に、媒体載置部９に載置される用紙Ｐの枚数を規制する規制面３１を備える枚数規制部３０（図５も参照）が設けられている。枚数規制部３０は、図に示す様に媒体載置部９の載置面９ａに対して高さ方向に間隔を空けて設けられるとともに、ガイド面２２から＋Ｘ軸方向（ガイド面２２と交差する方向）に延設されている。  
枚数規制部３０は、載置面９ａに上限より多い枚数の用紙Ｐが載置されることを抑制または回避する部材である。
【００５２】
枚数規制部３０（図５）の規制面３１の上流側（−Ｙ軸方向側）には、規制面３１と載置面９ａの間に用紙Ｐを誘う様に規制面３１に向けて下る斜面に形成された誘い部３７を備えている。また、規制面３１の下流側（＋Ｙ軸方向側）には、給送される用紙Ｐの後端が枚数規制部３０に当たることを回避する逃げ部３５が、規制面３１から下流側に向けて上る斜面として形成されている。  
また、枚数規制部３０（図５）において、符号３６は、媒体載置部９に載置される用紙Ｐの幅方向のサイズに合わせてエッジガイド１２ｂを＋Ｘ軸方向にスライドさせた際に、用紙Ｐの側縁Ｓを掬う掬い部３６である。
【００５３】
そして規制面３１には、前記幅方向（Ｘ軸方向）における一端側（図６において−Ｘ軸側）がガイド面２２と交差して形成される隅部３２から他端側（図６において＋Ｘ軸側の端部３４側）までのいずれかに、前記給送方向（＋Ｙ軸方向）に沿って延設される溝部３３（図６及び図８）を備えている。溝部３３は、後で詳述するように、用紙Ｐの側縁Ｓの少なくとも一部が入り込むことにより側縁Ｓの前記幅方向への移動を規制する役割を担う。  
本実施例においては、溝部３３は隅部３２に設けられている。  
【００５４】
ここで、１６給送ローラーによって送られる用紙Ｐが斜めに傾いた状態で給送される、スキュー（斜行とも言う）が発生する場合がある。図１６に示すように、枚数規制部１０１の規制面１０２に溝部３３（図６）が設けられていない従来のエッジガイド１００の場合、適切な位置にある用紙Ｐ（図１６において実線で示すＰ１）が−Ｘ軸方向に移動するようにスキューすると、用紙Ｐの側縁がガイド面１０４に沿ってせり上がり（図１６において一点鎖線で示すＰ２）、更には用紙Ｐの側縁が隅部１０３を超えて枚数規制部１０１の規制面１０２に沿って＋Ｘ軸方向に向くまで移動する虞がある（図１６において一点鎖線で示すＰ３）。  
特に用紙Ｐの厚みが薄く、剛性（コシ）が低い場合には、用紙がスキューしようとする際に用紙エッジがガイド面１０４に当接しても、剛性が低いために用紙エッジがガイド面１０４によって規制されずに、上述のように用紙エッジがガイド面１０４に沿ってせり上がり、結果敵にガイド面１０４がスキューを抑制できない虞が高い。
【００５５】
本実施例のようにエッジガイド１２ｂの規制面３１に溝部３３があると、用紙Ｐの側縁Ｓが−Ｘ軸方向に移動するように用紙Ｐがスキューした際に、図７に示す様に溝部３３に用紙Ｐの側縁Ｓが入り込み、側縁Ｓがそれ以上−Ｘ軸方向へ移動するのを規制する。したがって、用紙Ｐのスキューを抑制することができる。  
本実施例においては、エッジガイド１２ａも同様の構成（規制面３１に溝部３３を備える構成）を有しているので、用紙Ｐの＋Ｘ軸側の側縁Ｓが＋Ｘ軸方向に移動するスキューは、エッジガイド１２ａにより抑制することができる。  
尚、溝部３３は、エッジガイド１２ａ及びエッジガイド１２ｂの両方に設けることが好ましいが、いずれか一方にのみ設けられていてもよい。
【００５６】
また、溝部３３は規制面３１に設けられているので、媒体載置部９に複数枚の用紙Ｐが束で載置されても、従来技術（例えば特許文献１）のようにガイド面２２に溝が設けられている場合よりも、溝部３３が用紙Ｐの束の側縁に対して抵抗を与える虞が少ない。よって、媒体載置部９に載置された用紙Ｐの適切な給送をより確実に実現できる。
【００５７】
また、本実施例において溝部３３は規制面３１の隅部３２に設けられているので、用紙Ｐが斜めに給送され始めるとすぐに側縁Ｓが溝部３３に達し、用紙Ｐのスキューを効果的に抑制することができる。  
尚、溝部３３が設けられる位置は規制面３１の隅部３２に限られない。溝部３３は、規制面３１の隅部３２から＋Ｘ軸側の端部３４までのいずれかに少なくとも一つ設けられていればよい。
【００５８】
本実施例の溝部３３の形状は、図７に示す様に枚数規制部３０の幅方向の断面（Ｚ−Ｘ平面の断面）形状が切り欠き状になっている。この形状により、切り欠きの斜面に用紙Ｐの側縁Ｓが案内されて、溝部３３に入り込みやすくなっている。  
溝部３３の形状は切り欠き形状の他、凹状（後述の実施例２を参照）とすることもでき、用紙Ｐの側縁Ｓを受け入れる「窪み」であればこれらに限られない。
【００５９】
［実施例２］
実施例２では図９に基づき、媒体給送装置におけるエッジガイドの他の例について説明する。実施例２に係る媒体給送装置の要部を示す図である。  
尚、本実施例を含む後述の実施例において、実施例１と同一の構成については同一の符号を付し、その構成の説明は省略する。また、エッジガイドの細部についての説明は、一対のエッジガイドのうち、装置前面側から見て右側、すなわち、−Ｘ軸方向側のエッジガイドについて説明する。
【００６０】
実施例２に係る媒体給送装置４０は、エッジガイド４１のガイド面４４に対して設けられる枚数規制部４２の規制面４３において、ガイド面４４と交差して形成される隅部４５に、用紙Ｐの側縁Ｓの少なくとも一部が入り込むことにより側縁Ｓの前記幅方向への移動を規制する「溝部」としての第１の溝部４７を備えている。  
そして、規制面４３において、第１の溝部４７から規制面４３の＋Ｘ軸側の端部４６側に離間した位置に、第２の溝部４８が設けられている。  
本実施例において、第１の溝部４７及び第２の溝部４８は、枚数規制部５２の幅方向（Ｘ軸方向）の断面（Ｚ−Ｘ平面の断面）が下向きに開口した凹状に形成されている。
【００６１】
本実施例においても、隅部４５に設けられる第１の溝部４７に、図９において点線で示す用紙Ｐの側縁Ｓが入り込むことにより、用紙Ｐのスキューを抑制することができる。  
加えて、第１の溝部４７よりも＋Ｘ軸側の端部４６側に、第２の溝部４８が設けられていることにより、図９において実線で示す用紙Ｐのように、隅部４５に設けられる第１の溝部４７を越えて端部４６側に用紙Ｐの側縁Ｓが移動した場合に、第２の溝部４８によって用紙Ｐの側縁Ｓの移動を抑制することができる。したがって、用紙Ｐのスキュー抑制の確実性が増す。
【００６２】
［実施例３］
実施例３では図１０に基づき、媒体給送装置におけるエッジガイドの他の例について説明する。図１０は、実施例３に係る媒体給送装置の要部を示す図である。  
実施例３に係る媒体給送装置５０は、エッジガイド５１のガイド面５４に対して設けられる枚数規制部５２の規制面５３に複数の溝部５７を備えており、図１０に示す様に、複数の溝部５７は、枚数規制部５２の幅方向（Ｘ軸方向）の断面（Ｚ−Ｘ平面の断面）が櫛歯形状に形成されている。  
複数の溝部５７は、図１０を平面視して最も右、すなわち−Ｘ軸方向寄りの溝部５７が、隅部５５に位置するように配置されており、＋Ｘ軸方向側の端部５６まで複数の溝部５７がほぼ等間隔に設けられている。
【００６３】
枚数規制部５２の規制面５３が、櫛歯形状に形成される複数の溝部５７を備えることにより、溝部５７に用紙Ｐの側縁Ｓが入り込む確実性が増し、以って、用紙Ｐのスキュー抑制の確実性を高めることができる。  
尚、複数の溝部５７は、その一つ一つの形状が、実施例２と同様に下向きに開口した凹状に形成されているが、実施例１のような切り欠き形状とすることもできる。
【００６４】
［実施例４］
実施例４では図１１〜図１３に基づき、媒体給送装置におけるエッジガイドの他の例について説明する。図１１は、実施例４に係る媒体給送装置の要部を示す斜視図である。図１２は、図１１のＺ−Ｘ平面の断面図である。図１３は、可動部の上流側に斜面を設けた変更例を示す斜視図である。
【００６５】
実施例４に係る媒体給送装置６０において、エッジガイド６１は、エッジガイド６１の外観を構成し、ガイド面６４を有する本体部６３と、第１の面６２ａが本体部６３（エッジガイド６１）のガイド面６４に対して突出するように回動可能な可動部６２と、を備えている。可動部６２は、図１１及び図１２に示す様に、媒体載置部９に近い側に回動支点６５を有し、可動部６２の自重で自由端６２ｂがガイド面６４に対する突出方向へ回動するように構成されている。
【００６６】
媒体載置部９に載置される用紙Ｐの枚数が多く、例えば束で載置されている場合には、可動部６２は本体部６３の内部に収容されて第１の面６２ａがガイド面６４と概ね面一になるとともに、載置された用紙束により可動部６２の前記突出方向への回動が規制される。  
そして、可動部６２の回動を規制している用紙束の枚数が減ってくると、可動部６２は自重により前記突出方向に回動する。言い換えると、媒体載置部９に載置される用紙Ｐの枚数の減少に応じて、第１の面６２ａのガイド面６４からの突出量が増加するようになっている。
【００６７】
可動部６２が回動して、図１２において実線で示す様に、第１の面６２ａがエッジガイド６１のガイド面６４に対して突出すると、媒体載置部９の載置面９ａに対する第１の面６２ａの角度が鋭角になるので、用紙Ｐの側縁Ｓが第１の面６２ａをせり上がり難くなる。従って、用紙Ｐの側縁Ｓの−Ｘ軸方向への移動を抑制することができる。
【００６８】
ここで、給送される用紙Ｐのスキューは、媒体載置部９に載置される用紙Ｐの枚数が少なくなるほど生じ易くなる傾向がある。  
可動部６２は、媒体載置部９に載置される用紙Ｐの枚数が少なくなると回動し、第１の面６２ａがエッジガイド６１のガイド面６４に対する突出量が増えるので、少ない載置枚数における前記媒体のスキューを効果的に抑制できる。
【００６９】
また、媒体載置部９に載置される用紙Ｐの枚数が多い場合には、可動部６２はガイド面６４から突出していないか、その突出量が少ないので、可動部６２が用紙Ｐに対して抵抗を与える虞を低減することができる。  
以上のことにより、媒体載置部９に載置された用紙Ｐを適切に給送することができる。
【００７０】
尚、可動部６２には、図１３に示す様に、用紙Ｐの給送方向上流側に、用紙Ｐを第１の面６２ａに誘う誘い形状としての斜面６２ｃを設けると良い。  
例えば、媒体載置部９に用紙Ｐが載置されていない、或いは載置枚数が少ない状態では、前述したように可動部６２が突出している。このため、ユーザーが媒体載置部９に用紙Ｐを補充しようとする際に、可動部６２が突出した状態になっている場合がある。  
可動部６２が斜面６２ｃを有することにより、用紙Ｐの給送方向に用紙束を差し込んだときに、用紙Ｐがスムースに可動部６２の第１の面６２ａに沿って挿入できるので、媒体載置部９への用紙Ｐの補充が容易になる。
【００７１】
［実施例５］
実施例５では図１４及び図１５に基づき、媒体給送装置におけるエッジガイドの他の例について説明する。図１４は、実施例５に係る媒体給送装置の要部を示す斜視図である。図１５は、図１４のＺ−Ｘ平面の断面図である。  
実施例５に係る媒体給送装置７０におけるエッジガイド７１は、実施例４と同様に、ガイド面７４を有する本体部７３と、第１の面７２ａを備え、第１の面７２ａがガイド面７４よりも突出するように回動する可動部７２を備えている。尚、図１４及び図１５において、符号７５は可動部７２の回動支点である。
【００７２】
本実施例の可動部７２は、図１４に示す様に、第１の面７２ａの少なくとも一部に、用紙Ｐの給送方向（＋Ｙ軸方向）に沿って延設されるとともに、用紙Ｐの側縁Ｓの少なくとも一部が入り込むことにより側縁Ｓの幅方向への移動を規制する溝部７７を備えている点が特徴である。  
本実施例においては、複数の溝部７７が第１の面７２ａに形成されており、可動部７２のＺ−Ｘ平面の断面が、図１５に示す様に櫛歯形状になっている。
【００７３】
第１の面７２ａに溝部７７を備えることにより、用紙Ｐの側縁Ｓが第１の面７２ａをせり上がる虞を低減することができる。以って、用紙Ｐのスキュー抑制の確実性が一層増す。
【００７４】
［実施例６］
実施例６について、図１７を参照して説明する。図１７は、本発明に係るプリンターの一例を示す側断面図である。  
本発明に係る「記録装置」の一例としてのインクジェットプリンター８０（以下、単にプリンター８０と言う）は、「媒体」としての用紙Ｐに記録を行う「記録手段」としての記録ヘッド８３を装置本体８２内部に備えている。記録ヘッド８３に向けて用紙Ｐを給送する媒体給送装置８１として、上記実施形態（実施例１〜実施例５）の媒体給送装置を用いることができる。
【００７５】
以下、プリンター８０の概略構成について説明する。  
プリンター８０は、装置本体８２の上部の媒体セット部８４から、媒体給送装置８１の媒体載置部８５に用紙Ｐをセット可能に構成されている。図１７において、符号Ｔで示す点線は、用紙Ｐの搬送経路を示している。  
媒体載置部８５にセットされた用紙Ｐは、給送ローラー８６により給送され、給送ローラー８６の下流側に設けられる搬送ローラー対８７により、記録ヘッド８３の下方に送られる。符号８８は、記録ヘッド８３と対向する位置において用紙Ｐを支持する媒体支持部８８である。  
記録ヘッド８３による記録領域において記録が行われた後、用紙Ｐは、記録ヘッド８３の下流側に設けられる排出ローラー対８９により送られて、装置本体８２に開口として設けられる排出部９０から排出される。
【００７６】
図１７においては、媒体給送装置８１は、実施例１における媒体給送装置１０と同様の構成を備えている。すなわち、媒体給送装置８１は、媒体載置部８５の幅方向（Ｘ軸方向）の両側に設けられる一対のエッジガイド９１（図１７においては一方側のエッジガイドしか見えていない）と、エッジガイド９１に設けられ、媒体載置部８５に載置される用紙Ｐの枚数を規制する枚数規制部９２と、を備え、エッジガイド９１の規制面９３の隅部（図１７においては符号を省略する）に、用紙Ｐの側縁が入り込むことが可能な溝部９４が設けられている。  
プリンター８０が媒体給送装置８１を備えることにより、プリンター８０において、用紙Ｐのスキューを抑制して適切に給送することができる。
【００７７】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７８】
１…スキャナー、２…装置本体、３…下部ユニット、４…上部ユニット、
５…排紙トレイ、５ａ…載置面、６…上部カバー、７…第１カバー部、
８…第２カバー部、９…媒体載置部、１０…媒体給送装置、１１…回動軸、
１２ａ、１２ｂ…エッジガイド、１３…補助ペーパーサポート、１４…排出部、
１５…媒体セット部、１６…給送ローラー、１７…分離ローラー、
１８…搬送ローラー対、１８ａ…搬送駆動ローラー、１８ｂ…搬送従動ローラー、
１９ａ、１９ｂ、１９ｃ、１９ｄ…トレイ部材、２０…読取部、
２０ａ…上部読取センサー、２０ｂ…下部読取センサー、２１…排出ローラー対、
２１ａ…排出駆動ローラー、２１ｂ…排出従動ローラー、２２…ガイド面、
３０…枚数規制部、３１…規制面、３２…隅部、３３…溝部、３４…端部、
４０…媒体給送装置、４１…エッジガイド、４２…枚数規制部、４３…規制面、
４４…ガイド面、４５…隅部、４６…端部、４７…第１の溝部、４８…第２の溝部、
５０…媒体給送装置、５１…エッジガイド、５２…枚数規制部、５３…規制面、
５４…ガイド面、５５…隅部、５６…端部、５７…溝部、
６０…媒体給送装置、６１…エッジガイド、６２…可動部、６２ａ…第１の面、
６３…本体部、６４…ガイド面、６５…回動支点、
７０…媒体給送装置、７１…エッジガイド、７２…可動部、７２ａ…第１の面、
７３…本体部、７４…ガイド面、７５…回動支点、７７…溝部、
８０…インクジェットプリンター、８２…装置本体、８３…記録ヘッド（記録手段）、
８４…媒体セット部、８５…媒体載置部、８６…給送ローラー、
８７…搬送ローラー対、８８…媒体支持部、８９…排出ローラー対、９０…排出部、
９１…エッジガイド、９２…枚数規制部、９３…規制面、９４…溝部、
１００…エッジガイド、１０１…枚数規制部、１０２…規制面、
１０３…隅部、１０４…ガイド面、Ｐ…用紙（媒体）
【図１】
2018100174.tif 000003
【図２】
2018100174.tif 000004
【図３】
2018100174.tif 000005
【図４】
2018100174.tif 000006
【図５】
2018100174.tif 000007
【図６】
2018100174.tif 000008
【図７】
2018100174.tif 000009
【図８】
2018100174.tif 000010
【図９】
2018100174.tif 000011
【図１０】
2018100174.tif 000012
【図１１】
2018100174.tif 000013
【図１２】
2018100174.tif 000014
【図１３】
2018100174.tif 000015
【図１４】
2018100174.tif 000016
【図１５】
2018100174.tif 000017
【図１６】
2018100174.tif 000018
【図１７】
2018100174.tif 000019